(57)【特許請求の範囲】
【請求項１】
カセットからビデオ磁気テープを取り出し、前記ビデオ磁気テープのカビ、湿気、又は汚れを清掃するクリーニング装置において、テープリールを取り付ける一対のリール駆動部材（２２）と、一端に吸気孔（３８）を備え他端に家庭用の電気掃除機を装着可能なバキュウムチューブ（３７）と、シリコンチューブ（２６）が装着された複数の片持ちピン（２５）と、メッシュ綿布（１７）が巻きつけられたテープ表面研磨部材（３２）を備え、前記テープリールから引き出した前記ビデオ磁気テープを前記シリコンチューブ（２６）及び前記メッシュ綿布（１７）に接触させると共に、前記片持ちピン（２５）と前記吸気孔（３８）を前記テープを挟んで対向させることにより掻き落としたカビを前記吸気孔（３８）にて前記電気掃除機に送り込むことを特徴としたクリーニング装置。
【発明の詳細な説明】
【技術分野】
【０００１】
本発明は、ビデオ磁気テープのカビ・湿気・汚れを清掃クリーニングに関するものである。
【背景技術】
【０００２】
従来はカセットからテープを取り出さないものや除去部分が少ない為頑固なカビが取り難い。テープリールを取出さないでテープを回転させるとカセット内にカビが飛び散り充満する。カビはテープだけでなくリールの内部やカセットの内部も侵される。重度のカビはテープがリールと接着して回転出来ないものもある。
【発明の開示】
【発明が解決しようとする課題】
【０００３】
解決しようとする問題点は、カセットから磁気テープを取り出してカセットの中から清掃をしなければならない。その上でテープをソフトに研磨しふき取り作業を行う。テープと同じようにリールの中も必ずカビが残っているので綿布にてカビの胞子を出来るだけ多くふき取り同時に汚れや湿気などを除去するものである。
【課題を解決するための手段】
【０００４】
本発明は、ビデオ磁気テープに付着しているカビ・汚れ・湿気を両端はシリコンチューブにて掻き落としテープの表裏はメシュの綿布にて研磨する。シリコンチューブにて掻き落とされたカビは図１の断面図３７バキュウムチューブの３８吸気孔にて電気掃除機へ送られるので空中に舞うことは無い。
【発明の効果】
【０００５】
本発明の、ビデオ磁気テープのカビ取りクリーニング装置は両端磨き８箇所、表裏３箇所の研磨と磁気テープのコーティング上の重度のカビは無水エタノールにてふき取る。同じ作業を往復２〜３回で尚且つ効果が発揮できる。
【発明を実施するための最良の形態】
【０００６】
本装置はテープ送りの回転を35レバーにて正逆自由に出来るのでテープを全部巻き取って無くても途中から操作が出来る。しかも、34スピードコントロールも最初はゆっくり途中は早く操作可能又、本装置は、ブラシレスＤＣモータ（ギヤヘッド付き）を採用しパワーは充分である。しかし、大事なテープを破損しないように極度の負荷が掛かるとクラッチにてパワーを逃がす必要がある。そこで、9クラッチシューの14締め付けナットにて設定し丸ベルトの程よい緩みにてテープを損なわずに実現した。
【実施例１】
【０００７】
図１は、本発明装置の１実施例の平面図であって、左右の22リール駆動部材にテープリールを取り付け図2にある3リール止め金具で押さえ4蝶ネジにてロックする。18駆動歯車設定板を19移動レバーにて左に動かすと右側22リール駆動部材が隣の歯車とかみ合う。すると、左側の22リール駆動部材が隣の歯車と離れる。遊びの歯車となる。これに図2の3Ｃバネ式ブレーキを引き出し固定すると遊び歯車が勝手に回る事は無い。図1の35正逆回転レバーを右にして34コントロールのスイッチ入れると右側の22リール駆動部材が左回転しテープを右側に巻き取る機構である。  カビや埃は研磨の段階で飛び散る可能性が有るので健康を考え家庭の電気掃除機にて吸い取るには最初にテープを研磨する第一段階で両サイドの図1断面図25片持ちピンネジ山無しのすぐ横にバキュームチューブを取り付け掻き落としたカビは瞬時に吸気孔にて電気掃除機に送り込む。
【実施例２】
【０００８】
研磨の説明は図3の25片持ちピンについている26シリコンチューブにて両端を４回ずつ掻き落とし図1の32テープ表面研磨部材に33メッシュ綿布を巻きつけその上をテープがこするように滑っていくのでテープの表面が研磨され、図2のモーター軸から連動している16テープ走行補助プーリーに17メッシュ綿布を巻きつけるとテープの裏側を磨きながらテープの走行方向に送り込む。よって、テープが無理せず巻き取る負荷が少なくて済む。28ガイドローラーはベアリング付きなので負荷を緩和させ蛇行をなくす役目を果たす。
【実施例３】
【０００９】
図３は図１で説明し難いものを拡大図にて１８の取付け詳細図、２２の取付け詳細図、２２リール駆動部材は１８駆動歯車設定板に固定して取付け、中３個の８ボス付平歯車と連動させたり離したりを行うことにより左又は右に巻き取りさせること。２８ガイドローラー断面図、２５片持ちピンネジ山無し、２６シリコンチューブの断面詳細図である。
【図面の簡単な説明】
【００１０】
【図１】平面図と断面図でボス付平歯車にてテープを駆動させる為の実施方法を示した説明図である。（実施例１）
【図２】断面図でテープリールを固定し丸ベルト用プーリー及びテープ走行補助プーリーの実施方法を示した説明図である。（実施例２）
【図３】駆動歯車設定板の取り付け詳細図とリール取付け詳細図及びガイドローラーと片持ちピンの断面図（実施例３）
【符号の説明】
【００１１】
１    ベース
１a    ベース固定金具
１b    ベース固定金具ボルトナット
２    ベース固定板
３    リール止金具
３a    ３の固定金具
３b    リール止安定金具
３c    バネ式ブレーキ
４    蝶ネジ
５    ブラケット
５a    ブラケット
６    片持ちピンインロータイプ
７    ベアリング
８    ボス付平歯車
９    クラッチシュー
１０  丸ベルト用プーリー小
１１  丸ベルト用プーリー大
１２  丸ベルト
１３  ブラケット用ボルトナット
１４  クラッチシュー締め付けナット
１５  モーター１００Ｖ用（ブラシレスＤＣモーターギヤヘッド付き）
１６  テープ走行補助プーリー
１７  テープ表面研磨部材（メッシュ綿布・晒し布・不織布・布芯）
１８  駆動歯車設定板
１９  駆動歯車設定板移動レバー
２０  振れ止めボルトナット
２１  駆動用片持ちピンインロータイプ
２２  リール駆動部材
２３  Ｅリング
２４  磁気テープ表
２５  磁気テープ裏
２６  シリコンチューブ
２７  片持ちピンナット
２８  ガイドローラーベアリング入り
２９  テープ走行板
３０  ガイドローラー用ボルトナット
３１  ガイドローラー用バネワッシャー
３２  テープ表面研磨部材用固定筒
３３  テープ表面研磨部材用固定筒止めボルトナット
３４  モータースピードコントローラー
３５  正逆回転レバー
３６  １００Ｖ用配線
３７  バキュームチューブ
３８  吸気孔
３９  バキュームチューブジョイント
【要約】
【課題】ビデオ録画していた記念のビデオ磁気テープは保管の仕方が悪いとカビや湿気・埃が付いてしまう。特にカビが付いてしまうとビデオデッキで再生してもデッキのヘッドが汚れて再生不可能になる。
【解決手段】本装置は、汚れたビデオテープをカセットから取り出して先ずカセット内を手磨きしその上で、本装置にテープリールを取り付け研磨、ふき取りを行う。重度のカビは薬品にてふき取りそれを２〜３回行いテープのコーティングが健在であればほとんど除去可能である。ただし、コーティングが剥離して磁気が剥き出しになった物は不可能である。
【選択図】図１
【図１】
0003660672.tif 000002
【図２】
0003660672.tif 000003
【図３】
0003660672.tif 000004